(57)【要約】【課題】支持機構の基体に設けた挿通筒体及び駒鉤体に複数個の脚杆体を挿通して地面に立設し、覆体を止め金具により架設することになり、しかして、降雪により脚杆体や基体に外力が掛かっても、駒鉤体は挿通筒体内における脚杆体の上向き移動を阻止する自在鉤作用をなすため、各脚杆体の基体に対する位置関係を確実に固定保持することができる。【解決手段】花木等を雪から保護するための覆体６の支柱となる複数個の脚杆体１及び脚杆体を地面に立設支持可能な支持機構２を備えてなり、支持機構は、複数個の脚杆体を配列するための基体３と、基体に設けられ、複数個の脚杆体を上下移動自在に挿通可能な挿通筒体４と、挿通筒体内における脚杆体の下向き移動は許容するが上向き移動は阻止する自在鉤作用をなすための解除自在な駒鉤体５とからなる。【選択図】図１
0003117112.tif 000002
【実用新案登録請求の範囲】
【請求項１】
花木等を雪から保護するための覆体の支柱となる複数個の脚杆体及び該脚杆体を地面に立設支持可能な支持機構を備えてなり、上記支持機構は、上記複数個の脚杆体を配列するための基体と、該基体に設けられ、上記複数個の脚杆体を上下移動自在に挿通可能な挿通筒体と、該挿通筒体内における該脚杆体の下向き移動は許容するが上向き移動は阻止する自在鉤作用をなすための解除自在な駒鉤体とからなることを特徴とする雪囲い。
【請求項２】
上記基体は水平円環状に形成され、該基体の周囲に間隔を置いて、複数個の挿通筒体及び駒鉤体を設けてなることを特徴とする請求項１記載の雪囲い。
【請求項３】
上記基体は水平杆状に形成され、該基体の長手方向に間隔を置いて、左右位置にそれぞれ複数個の挿通筒体及び駒鉤体を設けてなることを特徴とする請求項１記載の雪囲い。
【考案の詳細な説明】
【技術分野】
【０００１】
本考案は例えば庭木、草花、農作物等を雪から保護する際に用いられる雪囲いに関するものである。
【背景技術】
【０００２】
従来、この種の雪囲いとして、竹や合成樹脂、金属パイプなどの複数個の脚杆体を所定配列で支持立設するための基体を備え、立木、花、生垣の花木を雪から保護する構造のものが知られている。
【特許文献１】特開平６−５３０１２号公報
【特許文献１】特開２００２−１２５４８７号公報
【考案の開示】
【考案が解決しようとする課題】
【０００３】
しかしながら、これら従来構造の場合、縄やロープの縛着作業及び脚杆体の配置作業は熟練を要する大変な作業となることがあり、又、取り外しも手間の掛かる厄介な作業となることがあるという不都合を有している。
【課題を解決するための手段】
【０００４】
本考案はこれらの不都合を解決することを目的とするもので、本考案のうちで、請求項１記載の考案は、花木等を雪から保護するための覆体の支柱となる複数個の脚杆体及び該脚杆体を地面に立設支持可能な支持機構を備えてなり、上記支持機構は、上記複数個の脚杆体を配列するための基体と、該基体に設けられ、上記複数個の脚杆体を上下移動自在に挿通可能な挿通筒体と、該挿通筒体内における該脚杆体の下向き移動は許容するが上向き移動は阻止する自在鉤作用をなすための解除自在な駒鉤体とからなることを特徴とする雪囲いにある。
【０００５】
又、請求項２記載の考案は、上記基体は水平円環状に形成され、該基体の周囲に間隔を置いて、複数個の挿通筒体及び駒鉤体を設けてなることを特徴とするものであり、又、請求項３記載の考案は、上記基体は水平杆状に形成され、該基体の長手方向に間隔を置いて、左右位置にそれぞれ複数個の挿通筒体及び駒鉤体を設けてなることを特徴とするものである。
【考案の効果】
【０００６】
本考案は上述の如く、請求項１記載の考案にあっては、支持機構の基体に設けた挿通筒体及び駒鉤体に複数個の脚杆体を挿通して地面に立設し、覆体を止め金具により架設することになり、しかして、降雪により脚杆体や基体に外力が掛かっても、駒鉤体は挿通筒体内における脚杆体の上向き移動を阻止する自在鉤作用をなすため、各脚杆体の基体に対する位置関係を確実に固定保持することができ、花木等を雪から保護するための覆体の支柱となる各脚杆体からなる構築体の姿勢を保持することができ、それだけ、雪囲い性を高めることができ、かつ、駒鉤体は挿通筒体内における脚杆体の下向き移動は許容するので脚杆体と挿通筒体との相対位置を容易に変更することができ、かつ、駒鉤体の自在鉤作用を解除することができ、各脚杆体の基体に対する位置関係を容易に変更することができ、花木等の高さや大きさ等に対する融通性を高めることができる。
【０００７】
又、請求項２記載の考案にあっては、上記基体は水平円環状に形成され、基体の周囲に間隔を置いて、複数個の挿通筒体及び駒鉤体を設けてなるから、円錐状の構築体を構成することができ、花木等の周囲を覆うことができ、又、請求項３記載の考案にあっては、上記基体は水平杆状に形成され、基体の長手方向に間隔を置いて、左右位置にそれぞれ複数個の挿通筒体及び駒鉤体を設けてなるから、三角柱状の構築体を構成することができ、並列する花木等の周囲を覆うことができる。
【考案を実施するための最良の形態】
【０００８】
図１乃至図１０は本考案の実施の形態例を示し、図１乃至図４は第一形態例、図５乃至図７は第二形態例、図８乃至図１０は第三形態例である。
【０００９】
図１乃至図４の第一形態例において、１は脚杆体であって、この場合、六本の木材角柱からなる。
【００１０】
２は支持機構であって、上記複数個の脚杆体１・・を配列するための基体３と、基体３に設けられ、上記複数個の脚杆体１・・を上下移動自在に挿通可能な挿通筒体４と、上記挿通筒体４内における脚杆体１・・の下向き移動は許容するが、図３の矢印方向である、上向き移動は阻止する自在鉤作用をなすための駒鉤体５とからなる。すなわち、図３の如く、脚杆体１の上向き移動により駒鉤体５は想像線位置から実線位置へ支持軸４ｄと遊孔４ｃとの嵌合部分を中心にして上向き揺動し、脚杆体１の外周面と駒鉤体５の内面角部とが相互に圧接され、この圧接係止により自在鉤作用が営まれ、これにより挿通筒体４内における脚杆体１・・の下向き移動は許容するが、上向き移動は阻止するという自在鉤作用をなすことになる。
【００１１】
この場合、上記基体３は水平円環状に形成され、この基体３の外周面に間隔を置いて、六個の取付片３ａを六等配上位置に取り付け、各取付片３ａに脚杆体１を上下移動自在に挿通可能な角筒状の挿通筒体４を取付片４ａと取付片３ａとをボルトＢ及びナットＮにより傾斜角度調節自在に連結固定し、六個の挿通筒体４のうちの三個の挿通筒体４の側面に支持片４ｂ・４ｂを取付け、支持片４ｂ・４ｂに遊孔４ｃ・４ｃを形成し、各遊孔４ｃ・４ｃ間に支持軸４ｄを遊動自在に架設し、支持軸４ｄに角筒状の駒鉤体５を固着し、駒鉤体５を支持軸４ｄと遊孔４ｃとの嵌合部分を中心にして上下揺動自在に設け、挿通筒体４に挿通筒体４の軸線に直交する方向より下方への駒鉤体５の揺動を規制する規制凸部４ｅを形成して構成している。
【００１２】
６は覆体であって、この場合、上記脚杆体１の外面に金属製の止め金具７を取付け、止め金具７の止鉤部７ａ・７ａ間に木材からなる板状の覆体６を架設するようにしている。
【００１３】
この実施の第一形態例は上記構成であるから、支持機構２の基体３に設けた挿通筒体４及び駒鉤体５に複数個の脚杆体１を挿通して地面に立設し、覆体６を止め金具７により架設することになり、しかして、降雪により脚杆体１や基体３に外力が掛かっても、駒鉤体５は挿通筒体４内における脚杆体１の上向き移動を阻止する自在鉤作用をなすため、各脚杆体１の基体３に対する位置関係を確実に固定保持することができ、花木等Ｗを雪から保護するための覆体の支柱となる各脚杆体１からなる構築体の姿勢を保持することができ、それだけ、雪囲い性を高めることができ、かつ、駒鉤体５は挿通筒体４内における脚杆体１の下向き移動は許容するので脚杆体１と挿通筒体４との相対位置を容易に変更することができ、かつ、駒鉤体５を図３の実線位置から想像線位置へと下向き回動させることにより駒鉤体５の自在鉤作用を解除することができ、各脚杆体１の基体３に対する位置関係を容易に変更することができ、花木等Ｗの高さや大きさ等に対する融通性を高めることができる。
【００１４】
この場合、上記基体３は水平円環状に形成され、基体３の周囲に間隔を置いて、複数個の挿通筒体４及び駒鉤体５を設けてなるから、円錐状の構築体を構成することができ、花木等Ｗの周囲を覆うことができる。
【００１５】
図５乃至図７の第二形態例は別例構造を示し、この場合、脚杆体１として、上記第一形態例同様に、木材角柱が用いられている。
【００１６】
２は支持機構であって、上記複数個の脚杆体１・・を配列するための基体３と、基体３に設けられ、上記複数個の脚杆体１・・を上下移動自在に挿通可能な挿通筒体４と、上記挿通筒体４内における脚杆体１・・の下向き移動は許容するが上向き移動は阻止する自在鉤作用をなすための駒鉤体５とからなる。
【００１７】
この場合、上記基体３は丸パイプ３ｂ及び丸パイプ３ｂが挿通固定される長尺丸パイプからなる水平杆Ｔからなり、この基体３の長手方向に間隔を置いて、左右位置にそれぞれ挿通筒体４及び駒鉤体５を設けてなり、すなわち、基体３の長手方向に間隔を置いて、二個の取付片３ａを下方突設し、各取付片３ａに脚杆体１を上下移動自在に挿通可能な対向一対の角筒状の挿通筒体４・４を取付片４ａ・４ａと取付片３ａとをボルトＢ及びナットＮにより傾斜角度調節自在に連結固定し、各挿通筒体４の側面に支持片４ｂ・４ｂを取付け、支持片４ｂ・４ｂに遊孔４ｃ・４ｃを形成し、各遊孔４ｃ・４ｃ間に支持軸４ｄを遊動自在に架設し、支持軸４ｄに角筒状の駒鉤体５を固着し、駒鉤体５を支持軸４ｄと遊孔４ｃとの嵌合部分を中心にして上下揺動自在に設け、挿通筒体４に挿通筒体４の軸線に直交する方向より下方への駒鉤体５の揺動を規制する規制凸部４ｅを形成して構成している。
【００１８】
６は覆体であって、この場合、基体３の左右両側に板状の覆体６を立て掛ける用にしている。尚、上記脚杆体１の外面に取り付けた金属製の止め金具７の止鉤部７ａ・７ａ間に木材からなる覆体６を架設したり、網状の覆体６を用いて覆うこともできる。
【００１９】
この実施の第二形態例は上記構成であるから、上記第一形態例と同様な作用効果を得ることができ、かつ、上記基体３は水平杆状に形成され、基体３の長手方向に間隔を置いて、左右位置にそれぞれ複数個の挿通筒体４及び駒鉤体５を設けてなるから、三角柱状の構築体を構成することができ、並列する花木等Ｗの周囲を覆うことができる。
【００２０】
図８乃至図１０の第三形態例は別例構造を示し、この場合、脚杆体１として、丸パイプが用いられ、又、支持機構２として、上記第一形態例又は第二形態例に示すような基体３に突設された取付片３ａに脚杆体１を上下移動自在に挿通可能な丸筒状の挿通筒体４・４を取付片４ａと取付片３ａとをボルトＢ及びナットＮにより傾斜角度調節自在に連結固定し、取付片４ａの側面に支持片４ｂ・４ｂを取付け、支持片４ｂ・４ｂに遊孔４ｃ・４ｃを形成し、各遊孔４ｃ・４ｃ間に支持軸４ｄを遊動自在に架設し、支持軸４ｄに丸筒状の駒鉤体５を固着し、駒鉤体５を支持軸４ｄと遊孔４ｃとの嵌合部分を中心にして上下揺動自在に設け、挿通筒体４に挿通筒体４の軸線に直交する方向より下方への駒鉤体５の揺動を規制する規制凸部４ｅを形成して構成している。
【００２１】
この実施の第三形態例は上記構成であるから、上記第一形態例と同様な作用効果を得ることができると共に脚杆体１として丸パイプを用いることができる。
【００２２】
尚、本考案は上記実施の形態例に限られるものではなく、例えば、脚杆体１、支持機構２、基体３、挿通筒体４、駒鉤体５、覆体６の形態や大きさ、材質等は適宜変更して設計され、又、覆体６は板材、網状体、その他の部材が用いられるるものである。
【００２３】
以上、所期の目的を充分達成することができる。
【図面の簡単な説明】
【００２４】
【図１】本考案の実施の第一形態例の部分斜視図である。
【図２】本考案の実施の第一形態例の部分断面図である。
【図３】本考案の実施のの部分拡大断面図である。
【図４】本考案の実施の第一形態例の使用状態図である。
【図５】本考案の実施の第二形態例の使用状態図である。
【図６】本考案の実施の第二形態例の部分斜視図である。
【図７】本考案の実施の第二形態例の部分断面図である。
【図８】本考案の実施の第三形態例の部分斜視図である。
【図９】本考案の実施の第三形態例の部分平面図である。
【図１０】本考案の実施の第三形態例の部分断面図である。
【符号の説明】
【００２５】
１    脚杆体
２    支持機構
３    基体
４    挿通筒体
５    駒鉤体
６    覆体
【図１】
0003117112.tif 000003
【図２】
0003117112.tif 000004
【図３】
0003117112.tif 000005
【図４】
0003117112.tif 000006
【図５】
0003117112.tif 000007
【図６】
0003117112.tif 000008
【図７】
0003117112.tif 000009
【図８】
0003117112.tif 000010
【図９】
0003117112.tif 000011
【図１０】
0003117112.tif 000012
【手続補正書】
【提出日】平成17年9月29日(2005.9.29)
【手続補正１】
【補正対象書類名】明細書
【補正対象項目名】０００２
【補正方法】変更
【補正の内容】
【０００２】
従来、この種の雪囲いとして、竹や合成樹脂、金属パイプなどの複数個の脚杆体を所定配列で支持立設するための基体を備え、立木、花、生垣の花木を雪から保護する構造のものが知られている。
【特許文献１】特開２００２−１１２６４５号公報